(57)【要約】      （修正有）【課題】低侵襲手術軟性連接棒グリップ定位装置を提供する。【解決手段】緊密に軟性連接棒をグリップするグリップ体１の定位により、グリップ体１のロック体１１のロック作用に合わせて、同時に、軟性材質からなるグリップ座を適用することで、軟性連接棒２に対して十分の保護を提供でき、また、軟性連接棒２により、各骨釘の本体が牽制され、骨釘がインプラントされた後の脊椎骨に対して、元の湾曲や捻りの可動弾性の回復効果が向上され、また、有効に、創傷の開口面積が縮小される。【選択図】図１
0003184280.tif 000002
【実用新案登録請求の範囲】
【請求項１】
ロック体とグリップ座があり、上記ロック体に、内六角穴とおねじが形成され、上記グリップ座に、凹み円弧面が形成され、上記グリップ座が、ロック体に枢着されるグリップ体と、
円形棒体構造で、対応して、上記グリップ座の凹み円弧面に嵌設される軟性連接棒と、
が含有される、
ことを特徴とする低侵襲手術軟性連接棒グリップ定位装置。
【請求項２】
上記ロック体の材質が、金属であることを特徴とする請求項1に記載の低侵襲手術軟性連接棒グリップ定位装置。
【請求項３】
上記グリップ座の材質が、プラスチックやゴム、高密度スポンジ或いはシリカゲルの何れかの一つであることを特徴とする請求項1に記載の低侵襲手術軟性連接棒グリップ定位装置。
【請求項４】
上記軟性連接棒の材質が、プラスチックやゴム、高密度スポンジ或いはシリカゲルの何れかの一つであることを特徴とする請求項1に記載の低侵襲手術軟性連接棒グリップ定位装置。
【考案の詳細な説明】
【技術分野】
【０００１】
本考案は、低侵襲手術軟性連接棒グリップ定位装置に関し、特に、軟性材質からなるグリップ座を使用して、軟性連接棒に対して十分の保護を提供でき、また、軟性連接棒により、各骨釘本体が牽制される低侵襲手術軟性連接棒グリップ定位装置に関する。
【背景技術】
【０００２】
従来の骨釘のグリップと定位構造は、硬材質の連接棒構造を利用するため、各骨釘同士の間に、弾性的に湾曲するｊことや捻ることができず、また、骨釘を連接棒にロックする時、パッキングとする軟性材質を有しないため、連接棒の磨耗や傷つくことが発生しやすくなる。
【０００３】
上記の従来の骨釘グリップと定位構造は、1、硬材質連接棒を利用するため、骨釘が、脊椎骨に応じてスムーズに回転できない、2、パッキングとする軟性材質を有しないため、連接棒の磨耗や傷つくことが発生しやすい、などの欠点が残されている。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案は、軟性材質からなるグリップ座を使用して、軟性連接棒に対して十分の保護を提供でき、また、軟性連接棒により、各骨釘本体が牽制される低侵襲手術軟性連接棒グリップ定位装置を提供する。
【０００６】
本考案によれば、1、軟材質連接棒を利用するため、骨釘が、脊椎骨に応じてスムーズに回転でき、2、パッキングとする軟性材質を有するため、連接棒の磨耗や傷つくことなく、3、延長した構造の骨釘で、操作がより容易になり、また、創傷が縮小され、4、軟性連接棒材質が、年齢に応じて調整可能で、適用弾性がこうじょうされる、などの利点が得られる。
【課題を解決するための手段】
【０００７】
請求項１の考案は、ロック体とグリップ座があり、上記ロック体に、内六角穴とおねじが形成され、上記グリップ座に、凹み円弧面が形成され、上記グリップ座が、ロック体に枢着されるグリップ体と、円形棒体構造で、対応して、上記グリップ座の凹み円弧面に嵌設される軟性連接棒と、が含有される、ことを特徴とする低侵襲手術軟性連接棒グリップ定位装置である。
【０００８】
請求項２の考案は、上記ロック体の材質が、金属であることを特徴とする請求項1に記載の低侵襲手術軟性連接棒グリップ定位装置である。
【０００９】
請求項3の考案は、上記グリップ座の材質が、プラスチックやゴム、高密度スポンジ或いはシリカゲルの何れかの一つであることを特徴とする請求項1に記載の低侵襲手術軟性連接棒グリップ定位装置である。
【００１０】
請求項4の考案は、上記軟性連接棒の材質が、プラスチックやゴム、高密度スポンジ或いはシリカゲルの何れかの一つであることを特徴とする請求項1に記載の低侵襲手術軟性連接棒グリップ定位装置である。
【００１１】
以下、図面を参照しながら、本考案の特徴や技術内容について、詳しく説明するが、それらの図面等は、参考や説明のためであり、本考案は、それによって制限されることが無い。
【考案を実施するための形態】
【００１２】
図1と図２のように、本考案低侵襲手術軟性連接棒グリップ定位装置は、グリップ体1と軟性連接棒2とがあり、グリップ体1は、ロック体11とグリップ座12があり、上記ロック体11に、内六角穴111とおねじ112が形成され、上記グリップ座12に、凹み円弧面121が形成され、上記グリップ座12が、ロック体11に枢着され、上記ロック体11の材質が、金属で、上記グリップ座12の材質が、プラスチックやゴム、高密度スポンジ或いはシリカゲルの何れかの一つである。軟性連接棒2は、円形棒体構造で、対応して、上記グリップ座12の凹み円弧面121に嵌設され、上記軟性連接棒2の材質が、プラスチックやゴム、高密度スポンジ或いはシリカゲルの何れかの一つである。
【００１３】
本考案によれば、軟性連接棒2を、骨釘本体3の二つの第二の側壁312の間に入れ込み、そして、底部の受け座31の二つの第一の側壁311の間に滑らせ、図1のように、更に、グリップ体1は、グリップ座12の一端を骨釘本体3の二つの第二の側壁312の間に入れ込み、グリップ体1のロック体11の外部にあるおねじ112が、第二の側壁312の内部にある第二のめねじ3121に接触するまで、グリップ体1が、下へ変位できなくなり、この時、ツール(普通、六角レンチである)を、内六角穴111に嵌合させて、ロック体11を回転させ、おねじ112と第二の側壁312の内部にある第二のめねじ3121とが螺合され、そして、第一の側壁311の第一のめねじ3111に螺合させ、この時、ロック体11とグリップ座12が、自由状態に枢着され、即ち、グリップ座12が、ただ、第二の側壁312の間と第一の側壁311の間に沿って、下へ滑るが、ロック体11に連動されて回転しなく、グリップ座12の凹み円弧面121が、軟性連接棒2に接触すると、図２のように、更に、ロック体11を締めこむと、グリップ座12の凹み円弧面121が、軟性連接棒2に圧迫し、この時、軟性連接棒2が、グリップ座12と枢着座32との間に定位され、グリップ体1が、完全に、受け座31の二つの第一の側壁311の間に入り込み、また、ロック体11の上縁が、V形溝313とほぼ一致する。
【００１４】
下端のロック釘4に、複数の注入穴42が形成され、上記複数の注入穴42と内孔41とが、連通する。
【００１５】
図3のように、本考案は、図２のような操作により、各グリップ体1のロック体11が、骨釘の本体3に締められ、また、受け座31の二つの第一の側壁311の間に位置し、軟性連接棒2が、各グリップ座12によって緊密に圧迫され、安定的なグリップ定位状態になり、また、複数の注入穴42を有するロック釘4は、下へ伸びて脊椎骨の正確位置にロックされる。
【００１６】
本考案に係るグリップ定位装置によれば、人体に対して、低侵襲手術だけで、ロック釘4を、脊椎骨の正確位置にロックでき、同時に、グリップ座12のグリップ定位と、軟性連接棒2の連結により、各骨釘の間に、牽制作用が形成され、小さい面積の創傷開口で、手術の目的を実現できるため、手術後の回復状況が良くなり、また、感染のリスクが低減され、両方面において、良い効果が得られ、また、図２のように、第一の側壁311と第二の側壁312との間に、V形溝313が形成されるため、骨釘をインプラントする手術手順が完成されて、グリップ体1が定位にロックされた後、第二の側壁312を補助ツールでカットして移除する箇所として利用されるため、第一の側壁311だけを有する骨釘本体3が体内に残される。
【００１７】
そのため、本考案は、より進歩的かつより実用的で、法に従って実用新案登録請求を出願する。
【００１８】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１９】
【図１】本考案の実施例のグリップ定位装置の分解図
【図２】本考案の実施例のグリップ定位装置の組立て図
【図３】本考案の実施例のグリップ定位装置の応用図
【符号の説明】
【００２０】
1  グリップ体
11  ロック体    
111     内六角穴
112  おねじ
12  グリップ座
121     凹み円弧面      
2  軟性連接棒
3  本体
31  受け座            
311     第一の側壁
3111        第一のめねじ    
312     第二の側壁
3121        第二のめねじ
313     V形溝
32  枢着座
4  ロック釘
41  内孔
42  注入穴
【図１】
0003184280.tif 000003
【図２】
0003184280.tif 000004
【図３】
0003184280.tif 000005